(57)【要約】【課題】  複数の利用者が参加した場合であっても、各利用者間に不公平感を与えることなく、利用者別の支払料金を提示する。【解決手段】  任意のカラオケ装置１０の利用者を特定するための利用者ＩＤを取得する利用者ＩＤ取得手段２７と、選曲された楽曲の楽曲ＩＤに、選曲者の利用者ＩＤを付帯して、予約待ち行列として管理する予約管理手段２９と、予約待ち行列にて管理された楽曲が演奏された際に、当該楽曲に付帯された選曲者の利用者ＩＤに基づいて、その演奏時間を利用者別に集計する利用者別演奏時間集計手段３０と、利用時間に対応した総支払料金を、利用者別の演奏時間集計値に基づき比例配分して、利用者別の支払料金を演算する利用者別支払料金演算手段３１と、利用者別の支払料金を、利用者に提示可能となるように出力する利用者別支払料金出力手段３２と、を備える。【選択図】  図１
2009210652.tif 000002
【特許請求の範囲】
【請求項１】
利用時間に対応した料金体系で運用される任意のカラオケ装置において、利用者別に支払料金を提示可能とした利用者別支払料金提示システムであって、
利用者ＩＤ取得手段と、予約管理手段と、利用者別演奏時間集計手段と、利用者別支払料金演算手段と、利用者別支払料金出力手段と、を備え、
前記利用者ＩＤ取得手段は、任意のカラオケ装置の利用者を特定するための利用者ＩＤを取得し、
前記予約管理手段は、選曲された楽曲の楽曲ＩＤに、選曲者の利用者ＩＤを付帯して、予約待ち行列として管理し、
前記利用者別演奏時間集計手段は、前記予約待ち行列にて管理された楽曲が演奏された際に、当該楽曲に付帯された選曲者の利用者ＩＤに基づいて、その演奏時間を利用者別に集計し、
前記利用者別支払料金演算手段は、利用時間に対応した総支払料金を、利用者別の演奏時間集計値に基づき比例配分して、利用者別の支払料金を演算し、
前記利用者別支払料金出力手段は、利用者別の支払料金を、利用者に提示可能となるように出力する、
ことを特徴とする利用者別支払料金提示システム。
【請求項２】
前記利用者別演奏時間集計手段は、利用時間を所定の単位課金時間に区切り、各単位課金時間内に演奏された楽曲の演奏時間を利用者別に集計し、
前記利用者別支払料金演算手段は、各単位課金時間が経過する毎に、利用者別の支払料金を演算する、
ことを特徴とする請求項１に記載の利用者別支払料金提示システム。
【発明の詳細な説明】
【技術分野】
【０００１】
本発明は、カラオケ装置において複数の利用者が選曲予約を行った場合に、利用者別に支払料金を提示可能な利用者別支払料金提示システムに関し、さらに詳しくは、各利用者の歌唱時間に応じて支払料金を比例配分可能な利用者別支払料金提示システムに関するものである。
【背景技術】
【０００２】
従来、カラオケ装置が設置されたカラオケボックスを利用する場合には、当該カラオケボックスの利用時間に対応させた料金システムが設定されている。ところで、カラオケボックスは、複数の利用者により利用される場合が多い。この場合、利用者の人数に応じて均等に料金を頭割りする、いわゆる割り勘を採用することが一般的である。
【０００３】
このような料金支払方法を採用した場合、カラオケボックスの利用開始から利用終了までの間、グループ全員が参加していれば問題ないが、途中で参加する利用者や、中座する利用者がいた場合には、不公平感が生じる可能性がある。
【０００４】
このような不都合に対して、グループ参加の利用者による時間単位のカラオケ利用に際し、グループ参加者の中で、途中参加したり中座したりする利用者がいた場合であっても、従来のカラオケルームの料金体系を変更することなく、カラオケ利用料金に対する利用者間での分散支払の際、当該利用者に不公平感を生じさせない公平な課金処理を行うことが可能なグループ利用者対応のカラオケ課金システムが開示されている（特許文献１参照）。
【０００５】
この特許文献１に記載されている技術は、利用者認証手段により、グループ参加の各利用者ＩＤを識別し、当該利用者のログインを認証すると共に、時間計測手段により、当該利用者毎のカラオケ演奏装置へのログイン時及びログアウト時を確認し、そのログイン継続時間を計測して管理する。そして、課金処理手段により、各利用者それぞれに、所定時間のカラオケ利用における料金に基づき、当該各利用者の計測時間の総和に対する利用者毎の計測時間に応じて料金を比例配分して課金するようになっている。
【０００６】
【特許文献１】特開２００６−４７３９９号公報
【発明の開示】
【発明が解決しようとする課題】
【０００７】
上記特許文献１に記載された技術は、各利用者のシステムログイン時間に応じて支払料金を決定するので、途中参加したり中座したりする利用者がいた場合であっても、当該利用者に不公平感を生じさせない公平な課金処理を行うことができる。
【０００８】
しかしながら、グループ参加者の中には、歌唱を積極的に行う利用者もいれば、歌唱に対して消極的な利用者もいる。また、楽曲の演奏時間は均一ではなく、例えば５分の楽曲もあれば２分足らずで演奏が終了してしまう楽曲もある。また、演奏を途中でキャンセルした場合には、演奏時間がさらに短くなる。
この場合、上記特許文献１に記載された技術のように、各利用者のログイン時からログアウト時までの計測時間の総和に対する利用者毎の計測時間に応じて料金を比例配分して課金したのでは、不公平感を解消できないこともあり、さらなる工夫が必要であった。
【０００９】
本発明は、上述した事情に鑑み提案されたもので、複数の利用者が参加した場合であっても、各利用者間に不公平感を与えることなく、利用者別の支払料金を提示することが可能な利用者別支払料金提示システムを提供することを目的とする。
【課題を解決するための手段】
【００１０】
本発明の利用者別支払料金提示システムは、上述した目的を達成するために提案されたもので、以下の特徴点を有している。
すなわち、本発明の利用者別支払料金提示システムは、利用時間に対応した料金体系で運用される任意のカラオケ装置において、利用者別に支払料金を提示可能とした利用者別支払料金提示システムであって、利用者ＩＤ取得手段と、予約管理手段と、利用者別演奏時間集計手段と、利用者別支払料金演算手段と、利用者別支払料金出力手段と、を備えている。
【００１１】
利用者ＩＤ取得手段は、任意のカラオケ装置の利用者を特定するための利用者ＩＤを取得する手段である。予約管理手段は、選曲された楽曲の楽曲ＩＤに、選曲者の利用者ＩＤを付帯して、予約待ち行列として管理する手段である。利用者別演奏時間集計手段は、前記予約待ち行列にて管理された楽曲が演奏された際に、当該楽曲に付帯された選曲者の利用者ＩＤに基づいて、その演奏時間を利用者別に集計する手段である。利用者別支払料金演算手段は、利用時間に対応した総支払料金を、利用者別の演奏時間集計値に基づき比例配分して、利用者別の支払料金を演算する手段である。利用者別支払料金出力手段は、利用者別の支払料金を、利用者に提示可能となるように出力する手段である。
【００１２】
また、本発明の利用者別支払料金提示システムにおいて、利用者別演奏時間集計手段は、利用時間を所定の単位課金時間に区切り、各単位課金時間内に演奏された楽曲の演奏時間を利用者別に集計し、利用者別支払料金演算手段は、各単位課金時間が経過する毎に、利用者別の支払料金を演算するように構成してもよい。
【発明の効果】
【００１３】
本発明の利用者別支払料金提示システムでは、利用者別の演奏時間に基づいて比例配分した支払料金を演算している。したがって、複数の利用者が参加した場合であっても、各利用者が実際にカラオケ装置を利用した時間に比例配分して、利用者別の支払料金が提示されるため、各利用者間に不公平感を与えることがない。
【００１４】
また、利用時間を所定の単位課金時間に区切ることにより、各単位課金時間における利用者別支払料金が明確なものとなる。このため、利用の途中で各利用者が自らの支払料金を確認することにより、その後の歌唱時間の公平化を図ることができる。具体的には、他の利用者と比較して支払料金が多い（歌唱時間が長い）利用者は、その後の歌唱を自粛し、一方、他の利用者と比較して支払料金が少ない（歌唱時間が短い）利用者は、積極的に歌唱を行うことにより、歌唱時間の公平化を図ることができる。さらに、途中で参加する利用者や中座する利用者がいた場合であっても、各利用者間における不公平感をさらに抑制することができる。
【発明を実施するための最良の形態】
【００１５】
以下、図面を参照して本発明の利用者別支払料金提示システムの実施形態を説明する。図１は、本発明の実施形態に係る利用者別支払料金提示システムを適用するカラオケ装置の構成を示すブロック図である。本発明の利用者別支払料金提示システムは、利用時間に対応した料金体系で運用される任意のカラオケ装置において、利用者別に支払料金を提示可能としている。
【００１６】
＜カラオケ装置＞
図１に示すように、本発明の実施形態に係る利用者別支払料金提示システムを適用するカラオケ装置１０は、カラオケ本体２０、遠隔入出力端末３５、ミキシングアンプ３６、表示手段３７、スピーカ３８、マイクロホン３９を備えている。カラオケ本体２０と表示手段３７とは、有線方式又は無線方式により接続されている。
【００１７】
＜遠隔入出力端末＞
遠隔入出力端末３５は、ユーザインタフェース機能を備えており、カラオケ本体２０のローカル送受信手段２６に対して有線方式又は無線方式によりデータの送受信を行うようになっており、データの送受信を行うための回路基板及びプログラムと、楽曲検索手段３５ａとして機能させるためのプログラムと、楽曲索引データベース３５ｂと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００１８】
＜楽曲索引データベース＞
楽曲検索手段３５ａが参照する楽曲索引データベース３５ｂは、カラオケ装置１０で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、ネットワークカラオケシステムの場合には、カラオケ装置１０がホスト装置と通信を行う際に、適宜なタイミングで楽曲索引データベース３５ｂの内容が最新のものに更新される。
【００１９】
＜カラオケ本体＞
カラオケ本体２０は、バス２１、中央制御手段２２、ＲＯＭ２３、ＲＡＭ２４、ＨＤＤ２５、ローカル送受信手段２６、利用者ＩＤ取得手段２７、予約管理手段２９、利用者別演奏時間集計手段３０、利用者別支払料金演算手段３１、利用者別支払料金出力手段３２、音楽曲出力手段３３、再生制御手段３４、ＰＯＳ情報送受信手段４０を備えている。なお、ＨＤＤ２５には、楽曲データベース２５ａ、映像データベース２５ｂが格納されている。また、ＰＯＳ情報送受信手段４０は、ＰＯＳ４１との間で、有線方式又は無線方式によりデータの送受信を行うようになっている。
【００２０】
＜中央制御手段＞
中央制御手段２２は、カラオケ装置１０を総合的に制御するための手段であり、例えばＣＰＵ及びその周辺機器により構成されており、ＣＰＵ等がＲＯＭ２３等に記憶されたアプリケーションプログラムに従って動作することにより、制御機能を発揮することができるようになっている。
【００２１】
＜ＲＯＭ／ＲＡＭ＞
ＲＯＭ２３は、カラオケ装置１０を構成する各機器を制御するためのアプリケーションプログラムデータや数値データを記憶するための機器で、例えば半導体メモリ等で構成される。また、ＲＡＭ２４は、アプリケーションプログラムや種々のデータを一時的に読み込む一時記憶領域として機能する機器で、例えば半導体メモリ等で構成される。なお、物理的な半導体メモリによりＲＡＭ２４を構成するのではなく、ハードディスク記憶装置等を用いて仮想的なＲＡＭ２４を構成してもよい。本実施形態では、ＲＡＭ２４に、予約待ち行列２４ａ、利用者別演奏時間集計リスト２４ｂ、利用者別支払料金リスト２４ｃが格納されている。
【００２２】
＜ＨＤＤ／楽曲データベース／映像データベース＞
楽曲データベース２５ａ及び映像データベース２５ｂは、大容量記憶装置であるＨＤＤ２５に格納されている。大容量記憶装置としては、ＨＤＤ２５の他に、データを書き替え可能なＤＶＤ等を用いることができる。
楽曲データベース２５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース２５ｂは、演奏される楽曲に対応した背景映像を、当該楽曲の楽曲ＩＤに対応させた映像ファイルとして所定数格納したデータベースである。
【００２３】
＜送受信手段＞
ローカル送受信手段２６は、遠隔入出力端末３５との間でデータの送受信を行うための電子回路及びプログラムからなる。なお、カラオケ装置１０をスタンドアロンで使用するのではなく、ネットワークを介して複数のカラオケ装置１０（カラオケ演奏端末）とホスト装置とを接続して、ネットワークカラオケシステムを構築する場合には、ローカル送受信手段２６の他に、通信ネットワークにおける通信方式の整合性を保つための電子回路及びプログラムからなるネットワーク送受信手段を備える。
【００２４】
＜利用者ＩＤ取得手段＞
利用者ＩＤ取得手段２７は、利用者がカラオケ装置１０を利用する際に、利用者が所持するＩＤ媒体２８から利用者ＩＤを取得するための電子回路及びプログラムからなる。利用者ＩＤ取得手段２７で取得した利用者ＩＤは、ＲＡＭ２４に一時的に記憶される。ＩＤ媒体２８は、例えば、非接触型のＩＣカード、携帯電話、携帯情報端末等からなり、利用者ＩＤを記憶して、利用者ＩＤ取得手段２７との間でデータの送受信を行うことができるようになっている。
【００２５】
＜予約管理手段＞
予約管理手段２９は、利用者により遠隔入出力端末３５における楽曲検索手段３５ａの機能を用いて選曲され、ローカル送受信手段２６を介して送信された当該選曲者の利用者ＩＤ、及び選曲された楽曲ＩＤを対応付けて予約待ち行列２４ａとしてＲＡＭ２４に格納し、管理するためのプログラムである。なお、楽曲選択の表示や予約待ち行列２４ａの表示は、遠隔入出力端末３５の入出力用表示部及び表示手段３７のいずれか一方、あるいは双方で行うことができる。
予約待ち行列は、例えば、楽曲が予約された順番に、楽曲ＩＤ、曲名、利用者ＩＤ、選曲者名等を関連付けて記憶したもので、予約待ち行列に記憶された順番で楽曲が演奏される。
【００２６】
＜利用者別演奏時間集計手段＞
利用者別演奏時間集計手段３０は、カラオケ装置１０で演奏された楽曲の演奏時間を利用者別に集計するためのプログラムからなる。具体的には、楽曲が演奏されると、利用者別演奏時間集計手段３０の機能により、予約待ち行列２４ａで管理されている当該楽曲の選曲者の利用者ＩＤに基づいて、利用者別に楽曲の演奏時間が集計される。集計結果は、利用者別演奏時間集計リスト２４ｂとして、ＲＡＭ２４に一時的に格納される。
また、利用時間を所定の単位課金時間に区切って演奏時間を集計する場合には、各単位課金時間内に演奏された楽曲の演奏時間を利用者別に集計する。
なお、利用者間の公平性を高めるという点で、カラオケ装置１０において、実際に楽曲が演奏されている時間を当該楽曲の演奏時間とすることが好ましい。すなわち、楽曲の演奏途中で演奏がキャンセルされた場合には、演奏が開始されてからキャンセルされるまでの時間が、当該楽曲の演奏時間となる。
【００２７】
＜利用者別演奏時間集計リスト＞
図２を参照して、利用者別演奏時間集計リスト２４ｂを説明する。図２は、利用者別演奏時間集計リスト２４ｂの構成例を示す説明図であり、図２（ａ）は、利用時間の全体を通して利用者別に演奏時間を集計する場合の利用者別演奏時間集計リスト２４ｂの説明図、図２（ｂ）は、利用時間を所定の単位課金時間に区切って、利用者別に演奏時間を集計する場合の利用者別演奏時間集計リスト２４ｂの説明図である。
【００２８】
利用時間の全体を通して利用者別に演奏時間を集計する場合の利用者別演奏時間集計リスト２４ｂは、図２（ａ）に示すように、利用者別に演奏時間を集計して構成される。また、利用時間を所定の単位課金時間に区切って、利用者別に演奏時間を集計する場合の利用者別演奏時間集計リスト２４ｂは、図２（ｂ）に示すように、利用者別に各単位課金時間の演奏時間を集計して構成される。
【００２９】
＜利用者別支払料金演算手段＞
利用者別支払料金演算手段３１は、利用者別の演奏時間集計値に基づいて比例配分した支払料金を、利用者別に演算するためのプログラムからなる。具体的には、利用者別演奏時間集計リスト２４ｂを参照し、すべての利用者の演奏時間の総和を求め、演奏時間の総和に対する各利用者の演奏時間の割合に応じて、利用料金を比例配分して、各利用者の支払料金を演算する。支払料金の演算結果は、利用者別支払料金リスト２４ｃとしてＲＡＭ２４に一時的に格納される。
【００３０】
また、利用時間を所定の単位課金時間に区切って支払料金を演算する場合には、各単位課金時間が経過する毎に利用者別演奏時間集計リスト２４ｂを参照し、当該課金時間におけるすべての利用者の演奏時間の総和を求め、演奏時間の総和に対する各利用者の演奏時間の割合に応じて、利用料金を比例配分して、各利用者の支払料金を演算する。支払料金の演算結果は、利用者別支払料金リスト２４ｃとしてＲＡＭ２４に一時的に格納される。
【００３１】
＜利用者別支払料金リスト＞
図３を参照して、利用者別支払料金リスト２４ｃを説明する。図３は、利用者別支払料金リスト２４ｃの構成例を示す説明図であり、図３（ａ）は、利用時間の全体を通して利用者別に演奏時間を集計する場合の利用者別支払料金リスト２４ｃの説明図、図３（ｂ）は、利用時間を所定の単位課金時間に区切って、利用者別に演奏時間を集計する場合の利用者別支払料金リスト２４ｃの説明図である。
【００３２】
利用時間の全体を通して利用者別に支払料金を演算する場合の利用者別支払料金リスト２４ｃは、図３（ａ）に示すように、利用者別に支払料金を集計して構成される。
ここで、具体的な支払料金の演算について説明する。なお、図２（ａ）に示すように、全利用者の総演奏時間は１２０分、利用者ＩＤ／＊＊＊＊Ａの利用者の演奏時間は１２分、利用者ＩＤ／＊＊＊＊Ｂの利用者の演奏時間は２４分、利用者ＩＤ／＊＊＊＊Ｃの利用者の演奏時間は３０分、利用者ＩＤ／＊＊＊＊Ｄの利用者の演奏時間は３６分、利用者ＩＤ／＊＊＊＊Ｅの利用者の演奏時間は１８分、総利用料金は３０００円とする。
【００３３】
この場合、利用者ＩＤ／＊＊＊＊Ａの利用者の支払料金は、３０００円×（１２分／１２０分）＝３００円、利用者ＩＤ／＊＊＊＊Ｂの利用者の支払料金は、３０００円×（２４分／１２０分）＝６００円、利用者ＩＤ／＊＊＊＊Ｃの利用者の支払料金は、３０００円×（３０分／１２０分）＝７５０円、利用者ＩＤ／＊＊＊＊Ｄの利用者の支払料金は、３０００円×（３６分／１２０分）＝９００円、利用者ＩＤ／＊＊＊＊Ｅの利用者の支払料金は、３０００円×（１８分／１２０分）＝４５０円となる。
【００３４】
また、利用時間を所定の単位課金時間に区切って、利用者別に支払料金を演算する場合の利用者別支払料金リスト２４ｃは、図３（ｂ）に示すように、利用者別に各単位課金時間の支払料金を演算して構成される。
ここで、具体的な支払料金の演算について説明する。なお、図２（ｂ）に示すように、区間１では、利用者ＩＤ／＊＊＊＊Ａの利用者の演奏時間は１２分、利用者ＩＤ／＊＊＊＊Ｂの利用者の演奏時間は３０分、利用者ＩＤ／＊＊＊＊Ｃの利用者の演奏時間は６分であり、利用者ＩＤ／＊＊＊＊Ｄ、及び利用者ＩＤ／＊＊＊＊Ｅの利用者による演奏はなされていない。また、区間１における区間総演奏時間は４８分であり、区間総利用料金は１０００円とする。
【００３５】
この場合、区間１において、利用者ＩＤ／＊＊＊＊Ａの利用者の支払料金は、１０００円×（１２分／４８分）＝２５０円、利用者ＩＤ／＊＊＊＊Ｂの利用者の支払料金は、１０００円×（３０分／４８分）＝６２５円、利用者ＩＤ／＊＊＊＊Ｃの利用者の支払料金は、１０００円×（６分／４８分）＝１２５円となる。
【００３６】
同様にして、区間２及び区間３における利用者別の支払料金が演算され、利用者別支払料金リスト２４ｃに記憶される。なお、図３（ｂ）に示す例では、利用者別支払料金リスト２４ｃにおいて、各利用者の全区間支払料金（総支払料金）が記憶されている。各利用者の総支払料金は、各単位課金時間が終了する毎に合算すればよい。
【００３７】
＜利用者別支払料金出力手段＞
利用者別支払料金出力手段３２は、利用者別支払料金を、利用者に提示可能となるように出力するためのプログラムからなる。具体的には、表示手段３７の表示画面に、利用者別の支払料金を表示する。また、各利用者の支払料金に関する情報をスピーカ３８から音声出力したり、プリンタにより印字したりしてもよい。
【００３８】
＜音楽曲出力手段＞
音楽曲出力手段３３は、楽曲ＩＤに基づいて楽曲データベース２５ａから抽出された演奏データをデジタル再生すると共にアナログ変換してミキシングアンプ３６に出力するための電子回路である。ミキシングアンプ３６は、マイクロホン３９から入力された歌唱者の歌唱音声と、音楽曲出力手段３３から送出される演奏データとをミキシングすると共に、アンプ機能により増幅してスピーカ３８より出力させるための装置である。なお、マイクロホン３９の数は１本に限られず、２本以上であってもよい。
【００３９】
＜再生制御手段＞
再生制御手段３４は、カラオケ演奏中に、楽曲データベース２５ａから抽出された楽曲データのうちの歌詞テロップデータ（歌詞文字データ）を当該楽曲の演奏データに同期させて表示手段３７に出力するための電子回路である。さらに、再生制御手段３４は、遠隔入出力端末３５を介した利用者からの操作指示による予約楽曲リストの表示等を表示手段３７に表示させる機能も有している。
【００４０】
＜表示手段＞
表示手段３７は、カラオケ演奏時の映像、歌詞テロップ等を表示するための装置で、例えば、ＣＲＴディスプレイ、液晶ディスプレイ、プラズマディスプレイ等により構成される。
【００４１】
＜ＰＯＳ情報送受信手段／ＰＯＳ＞
ＰＯＳ情報送受信手段４０は、ＰＯＳ４１と通信を行うことにより、カラオケ装置１０における利用時間に対応した料金に関するデータを取得するためのプログラムからなる。本実施形態では、ＰＯＳ４１により、カラオケ装置１０における利用時間に対応した料金を管理する。
【００４２】
＜利用者別支払料金提示処理／第１の実施形態＞
まず、第１の実施形態に係る利用者別支払料金提示処理を説明する。図４は、楽曲予約処理の手順を示すフローチャート、図５は、第１の実施形態に係る利用者別支払料金提示処理の手順を示すフローチャートである。
【００４３】
本実施形態の利用者別支払料金提示システムでは、利用者別支払料金提示処理に先立って、楽曲予約処理が行われる。この楽曲予約処理では、図４に示すように、楽曲の予約に際して、選曲者の利用者ＩＤを特定し（Ｓ１）、選曲された楽曲の楽曲ＩＤに、利用者ＩＤを付帯して、予約待ち行列にて管理する（Ｓ２）。なお、各利用者の利用者ＩＤは、利用者ＩＤ取得手段２７により取得し、ＲＡＭ２４等の記憶手段に一時的に格納される。また、ネットワークカラオケシステムの場合には、ホスト装置にアクセスして顧客データベースを参照し、各利用者の利用者ＩＤに基づいて、氏名やイメージデータ等の利用者情報を取得し、これらの利用者情報がＲＡＭ２４等の記憶手段に一時的に格納される。
【００４４】
第１の実施形態は、すべての利用時間を通して、利用者別の支払料金を演算するようにしたものである。第１の実施形態に係る利用者別支払料金提示処理では、図５に示すように、予約待ち行列に従い楽曲を演奏し（Ｓ１１）、楽曲の演奏が終了する毎に（Ｓ１２）、利用者別演奏時間集計手段３０の機能により、当該楽曲の楽曲ＩＤに付帯した選曲者の利用者ＩＤ別に楽曲の演奏時間を集計し、利用者別演奏時間集計リスト２４ｂとして記憶する（Ｓ１３）。そして、利用時間が経過すると（Ｓ１４）、利用者別支払料金演算手段３１の機能により、利用者別演奏時間集計リスト２４ｂを参照して利用者別の支払料金を演算し、利用者別支払料金リスト２４ｃとして記憶する（Ｓ１５）。続いて、利用者別支払料金出力手段３２の機能により、利用者別支払料金リスト２４ｃを参照して、利用者別の支払料金データを出力し、表示手段に表示する（Ｓ１６）。この際、各利用者の支払料金に関する情報をスピーカ３８から音声出力したり、プリンタにより印字したりしてもよい。
【００４５】
次に、第１の実施形態における支払料金の表示例を説明する。図６は、第１の実施形態における支払料金の表示例を示す模式図である。第１の実施形態では、図６に示すように、表示手段３７の表示画面に利用者別支払料金が表示される。
【００４６】
＜利用者別支払料金提示処理／第２の実施形態＞
次に、第２の実施形態に係る利用者別支払料金提示処理を説明する。図７は、第２の実施形態に係る利用者別支払料金提示処理の手順を示すフローチャートである。
【００４７】
第２の実施形態においても、図４に示すように、利用者別支払料金提示処理に先だって楽曲予約処理（Ｓ１〜Ｓ２）が行われる。
【００４８】
第２の実施形態は、利用時間を所定の単位課金時間に区切って、利用者別の支払料金を演算するようにしたものである。第２の実施形態に係る利用者別支払料金提示処理では、図７に示すように、単位課金時間において、予約待ち行列に従い楽曲を演奏し（Ｓ２１）、楽曲の演奏が終了する毎に（Ｓ２２）、利用者別演奏時間集計手段３０の機能により、当該楽曲の楽曲ＩＤに付帯した選曲者の利用者ＩＤ別に、楽曲の演奏時間を集計し、利用者別演奏時間集計リスト２４ｂとして記憶する（Ｓ２３）。そして、単位課金時間が経過すると（Ｓ２４）、利用者別支払料金演算手段３１の機能により、利用者別演奏時間集計リスト２４ｂを参照して当該課金時間における利用者別の支払料金を演算し、利用者別支払料金リスト２４ｃとして記憶する（Ｓ２５）。続いて、利用者別支払料金出力手段３２の機能により、当該課金時間における利用者別支払料金リスト２４ｃを参照して、利用者別の支払料金データを出力し、表示手段に表示する（Ｓ２６）。この際、各利用者の支払料金に関する情報をスピーカ３８から音声出力したり、プリンタにより印字したりしてもよい。
【００４９】
なお、単位課金時間の経過毎に利用者別支払料金を提示するだけではなく、その単位課金時間までの利用者別支払累計料金を提示してもよいし、各課金単位における利用者別支払料金を合算して利用者別支払料金リスト２４ｃに記憶し、当該カラオケ装置１０の利用が終了した時点（利用時間が経過した時点）で、利用者別支払料金リスト２４ｃに記憶された利用者別支払料金を、利用者に提示してもよい。
【００５０】
次に、第２の実施形態における支払料金の表示例を説明する。図８は、第２の実施形態における支払料金の表示例を示す模式図である。第２の実施形態では、図８に示すように、表示手段３７の表示画面に単位課金時間毎の利用者別支払料金が表示される。
【００５１】
＜他の実施形態＞
本発明の利用者別支払料金提示システムを構成するカラオケ装置１０及びその周辺装置を構成する機器や手段は上述したものに限定されず、必要な機器や手段のみの構成としたり、適宜他の機器や手段を付加したりすることができる。また、各手段をそれぞれ別個のものとして構成するのではなく、複数の機能を統合した手段として構成してもよい。
【００５２】
さらに、カラオケ装置１０をスタンドアロンで使用するのではなく、ネットワークを介して複数のカラオケ装置１０（カラオケ演奏端末）とホスト装置とを接続して、ネットワークカラオケシステムを構築してもよい。この場合には、ホスト装置に顧客データベースを設置し、この顧客データベースにより、利用者ＩＤ、氏名、セカンドネーム（例えば愛称）、住所、電話番号、生年月日、性別、職業、イメージデータ等の利用者情報を管理することができる。
【図面の簡単な説明】
【００５３】
【図１】本発明の実施形態に係る利用者別支払料金提示システムを適用するカラオケ装置の構成を示すブロック図。
【図２】利用者別演奏時間集計リストの構成例を示す説明図。
【図３】利用者別支払料金リストの構成例を示す説明図。
【図４】楽曲予約処理の手順を示すフローチャート。
【図５】第１の実施形態に係る利用者別支払料金提示処理の手順を示すフローチャート。
【図６】第１の実施形態における支払料金の表示例を示す模式図。
【図７】第２の実施形態に係る利用者別支払料金提示処理の手順を示すフローチャート。
【図８】第２の実施形態における支払料金の表示例を示す模式図。
【符号の説明】
【００５４】
１０  カラオケ装置
２０  カラオケ本体
２１  バス
２２  中央制御手段
２３  ＲＯＭ
２４  ＲＡＭ
２４ａ  予約待ち行列
２４ｂ  利用者別演奏時間集計リスト
２４ｃ  利用者別支払料金リスト
２５  ＨＤＤ
２５ａ  楽曲データベース
２５ｂ  映像データベース
２６  ローカル送受信手段
２７  利用者ＩＤ取得手段
２８  ＩＤ媒体
２９  予約管理手段
３０  利用者別演奏時間集計手段
３１  利用者別支払料金演算手段
３２  利用者別支払料金出力手段
３３  音楽曲出力手段
３４  再生制御手段
３５  遠隔入出力端末
３５ａ  楽曲検索手段
３５ｂ  楽曲索引データベース
３６  ミキシングアンプ
３７  表示手段
３８  スピーカ
３９  マイクロホン
４０  ＰＯＳ情報送受信手段
４１  ＰＯＳ
【図１】
2009210652.tif 000003
【図２】
2009210652.tif 000004
【図３】
2009210652.tif 000005
【図４】
2009210652.tif 000006
【図５】
2009210652.tif 000007
【図６】
2009210652.tif 000008
【図７】
2009210652.tif 000009
【図８】
2009210652.tif 000010